(57)【要約】【課題】  移動端末機へＩＰアドレスを動的に割当てるＬＡＮ接続システムにあって、移動端末機及びＬＡＮ間の通信リンクが切断された後でも、ＬＡＮから移動端末機へのＩＰパケット発信によるＩＰ通信を行うこと。【解決手段】  ＤＴＥ１−２１と移動通信網１−１間の通信経路切断によって移動通信網側アドレスとＭＳＮ（ＭＳ１−１１の電話番号）との関係がクリアされた後でも、パケット交換ゲートウェイ１−６が、ユーザＬＡＮ１−５からＤＴＥ１−２１に対応するＬＡＮ側アドレス宛てのＩＰパケットを受信した際に、このＩＰパケット送信先のＬＡＮ側アドレスに対応するＭＳＮを宛先として移動通信網１−１に再接続を行って、ＤＴＥ１−２１とＬＡＮ１−５間の通信経路を確立する。【選択図】      図１
2005244366.tif 000002
【特許請求の範囲】
【請求項１】
移動端末機から移動通信網を介してローカルエリアネットワークであるＬＡＮへの接続要求情報を受信することにより、移動端末機とＬＡＮ間のパケット通信のための通信経路を形成するゲートウェイ装置において、
移動端末機の電話番号と、移動通信網から移動端末機へ払い出される移動通信網側アドレスと、この移動通信網側アドレスに対応付けて当該ゲートウェイ装置が管理し、且つ移動端末機のアドレスとしてＬＡＮが認識するＬＡＮ側アドレスと、移動端末機と移動通信網との通信状態情報とを関連付けて記憶するテーブル記憶手段と、
前記テーブル記憶手段の通信状態情報が移動端末機と移動通信網間の通信経路の切断を示す場合に、ＬＡＮから移動端末機に対応するＬＡＮ側アドレス宛ての固有のＩＰパケットを受信すると、前記テーブル記憶手段に記憶されているＬＡＮ側アドレスに対応する移動端末機の電話番号を宛先として移動通信網に再接続を要求し、この要求によって移動通信網から該当移動端末機に新規に払い出される移動通信網側アドレスをＬＡＮ側アドレスと対にして記憶する制御を行う制御手段と
を備えたことを特徴とするゲートウェイ装置。
【請求項２】
移動端末機から移動通信網を介してローカルエリアネットワークであるＬＡＮへの接続要求情報をゲートウェイ装置が受信した際に、当該ゲートウェイ装置の制御によって移動端末機とＬＡＮ間のパケット通信のための通信経路を形成する移動端末機とＬＡＮ間接続方法において、
前記ゲートウェイ装置は、
前記移動端末機からの接続要求に応じて移動端末機に割り当てられた移動通信網側アドレスを記憶する第１のステップと、
前記移動通信網側アドレスとは別アドレス体系で、移動端末機のアドレスとしてＬＡＮが認識し、当該ゲートウェイ装置が管理しているＬＡＮ側アドレスを、仮想的に移動端末機に払い出す第２のステップと、
移動端末機の電話番号と、移動通信網から移動端末機へ払い出される移動通信網側アドレスと、この移動通信網側アドレスに対応付けて当該ゲートウェイ装置が管理し、且つ移動端末機のアドレスとしてＬＡＮが認識するＬＡＮ側アドレスと、移動端末機と移動通信網との通信状態情報とを関連付けてテーブルに記憶する第３のステップと、
互いに対応付けられた前記移動通信網側アドレスと前記ＬＡＮ側アドレスとの間でアドレス変換を行う第４のステップと、
前記ＬＡＮから移動端末機への情報送信要求を受信した場合、前記テーブルを参照して情報送信要求先のアドレスから一意に決まる移動端末機とＬＡＮ間の通信状態を確認し、この確認結果、通信中の際はＬＡＮ側アドレスである情報送信要求先のアドレスを移動通信網側アドレスに変換して情報を該当移動端末機へ送信し、切断中の際は情報送信要求先のアドレスから一意に決まる移動端末機の電話番号に対して着信処理を行う第５のステップと、
前記着信処理実行後に該当移動端末機に新たに割り当てられた移動通信網側アドレスと当該移動端末機の電話番号が通知された場合、この通知された電話番号から一意に決まる移動通信網側アドレスを、前記テーブルに記憶されたアドレスの対応関係から新たに通知されたＬＡＮ側アドレスに変更する第６のステップと
を実行することを特徴とする移動端末機とＬＡＮ間接続方法。
【発明の詳細な説明】
【技術分野】
【０００１】
本発明は、動的にアドレスが割り当てられる移動端末機と情報通信ネットワークを接続するパケット交換ゲートウェイ装置などのゲートウェイ装置及び移動端末機とＬＡＮ間接続方法に関する。
【背景技術】
【０００２】
現在、携帯電話機やＰＨＳ(Personal Handyphone System)などの移動端末機と企業のＬＡＮ(Local Area Network)との間でパケット（パケット情報）の授受を行えるようにしたＬＡＮ接続システムが運用されている。この種のＬＡＮ接続システムのうち一般的によく知られているものとして、移動通信網に接続された移動パケット通信用ゲートウェイ装置（以降、ゲートウェイ装置はゲートウェイとも略す）と、各ＬＡＮとを各々専用線により常時接続した形態のものがある。
【０００３】
このようなＬＡＮ接続システムに移動端末機を接続する場合、移動端末機は接続時にＬＡＮ接続システムからＩＰ(Internet Protocol)アドレス（ＩＰアドレス情報）を払い出してもらうことによりＬＡＮ接続システムと接続可能となる。
移動パケット通信用ゲートウェイから移動端末機へのＩＰアドレス払い出し方法に関しては以下の二つの方法がある。
【０００４】
一つ目の方法は、移動端末機毎に一意となるＩＰアドレスを固定的に割り当てる方法であり、移動端末機とＩＰアドレスを関連付ける情報を事前に移動通信網側に登録しておき、移動端末機からの接続要求を受けると、移動端末機に対応したＩＰアドレスを当該移動端末機へ割り当てることで移動通信網へ接続可能としている。
二つ目の方法は、移動端末機に動的にＩＰアドレスを割り当てる方法であり、移動通信網側でＩＰアドレスを確保しておき、移動端末機からの接続要求が来た場合は、確保しているＩＰアドレスの中から使用可能なものを割り当てて、その時点で移動端末機と割り当てたＩＰアドレスとを関連付ける。移動端末機と移動通信網との接続が切断される際は、移動端末機とＩＰアドレスとの関連付けを解消する。
【０００５】
また、これらのようなＬＡＮ接続システムにおいて、移動端末機及びＬＡＮ間の通信リンクが切断された後に、ＬＡＮ側から移動端末機のＩＰアドレスに対してＩＰパケットを送信する場合、移動端末機のＩＰアドレスが固定割当であれば、ＩＰアドレスから移動端末機番号が一意に決まるため、移動パケット通信用ゲートウェイが当該移動端末機番号に着信処理を実施することにより通信が可能となる。このため、ＬＡＮ側から見ると、移動端末機へは、常時ＬＡＮに接続されているＩＰ端末機として通信を行うことができる。
この種の従来のゲートウェイ装置として、例えば特許文献１に記載のものがある。
【特許文献１】特開２００１−２０３７４０号公報
【発明の開示】
【発明が解決しようとする課題】
【０００６】
しかし、従来のゲートウェイ装置においては、移動端末機へのＩＰアドレスが動的な割当の場合、移動端末機及びＬＡＮ間の通信リンクが切断された後は、ＩＰアドレスと移動端末機番号の関係がクリアされている。このため、移動パケット通信用ゲートウェイは、発信先不明によりＩＰパケット送信処理が行えないので、ＬＡＮから移動端末機へのＩＰパケット発信によるＩＰ通信を行うことができないという問題がある。
【０００７】
このため、移動端末機へＩＰアドレスを動的に割当てる場合、移動端末機及びＬＡＮ間の通信リンク切断後は、移動端末機からＬＡＮへの接続しか行うことができなかった。
本発明は、このような課題に鑑みてなされたものであり、移動端末機へＩＰアドレスを動的に割当てるＬＡＮ接続システムにあって、移動端末機及びＬＡＮ間の通信リンクが切断された後でも、ＬＡＮから移動端末機へのＩＰパケット発信によるＩＰ通信を行うことができるゲートウェイ装置及び移動端末機とＬＡＮ間接続方法を提供することを目的としている。
【課題を解決するための手段】
【０００８】
上記目的を達成するために、本発明の請求項１によるゲートウェイ装置は、移動端末機から移動通信網を介してローカルエリアネットワークであるＬＡＮへの接続要求情報を受信することにより、移動端末機とＬＡＮ間のパケット通信のための通信経路を形成するゲートウェイ装置において、移動端末機の電話番号と、移動通信網から移動端末機へ払い出される移動通信網側アドレスと、この移動通信網側アドレスに対応付けて当該ゲートウェイ装置が管理し、且つ移動端末機のアドレスとしてＬＡＮが認識するＬＡＮ側アドレスと、移動端末機と移動通信網との通信状態情報とを関連付けて記憶するテーブル記憶手段と、前記テーブル記憶手段の通信状態情報が移動端末機と移動通信網間の通信経路の切断を示す場合に、ＬＡＮから移動端末機に対応するＬＡＮ側アドレス宛ての固有のＩＰパケットを受信すると、前記テーブル記憶手段に記憶されているＬＡＮ側アドレスに対応する移動端末機の電話番号を宛先として移動通信網に再接続を要求し、この要求によって移動通信網から該当移動端末機に新規に払い出される移動通信網側アドレスをＬＡＮ側アドレスと対にして記憶する制御を行う制御手段とを備えたことを特徴としている。
【０００９】
この構成によれば、移動端末機と移動通信網間の通信経路が切断され、移動通信網側アドレスと電話番号との関係がクリアされた後であっても、ゲートウェイ装置が、ＬＡＮから移動端末機に対応するＬＡＮ側アドレス宛てのＩＰパケットを受信すると、このＩＰパケット送信先のＬＡＮ側アドレスに対応する移動端末機の電話番号を宛先として移動通信網に再接続が要求され、この要求時に、通信網から移動端末機に新規に払い出される移動通信網側アドレスがＬＡＮ側アドレスと対で記憶されるので、これらアドレスの相互変換が可能となり、これによって、移動端末機とゲートウェイ装置間の通信経路を確立することができる。このため、移動端末機へのＩＰアドレス割り当てを動的に行う場合であっても、移動端末機と移動通信網間の通信経路切断後にＬＡＮ側から移動端末機へＩＰパケットを送信することにより、ＬＡＮ側から見て常時接続的なＩＰ通信を行うことが可能となる。
【００１０】
また、本発明の請求項２による移動端末機とＬＡＮ間接続方法は、移動端末機から移動通信網を介してローカルエリアネットワークであるＬＡＮへの接続要求情報をゲートウェイ装置が受信した際に、当該ゲートウェイ装置の制御によって移動端末機とＬＡＮ間のパケット通信のための通信経路を形成する移動端末機とＬＡＮ間接続方法において、前記ゲートウェイ装置は、前記移動端末機からの接続要求に応じて移動端末機に割り当てられた移動通信網側アドレスを記憶する第１のステップと、前記移動通信網側アドレスとは別アドレス体系で、移動端末機のアドレスとしてＬＡＮが認識し、当該ゲートウェイ装置が管理しているＬＡＮ側アドレスを、仮想的に移動端末機に払い出す第２のステップと、移動端末機の電話番号と、移動通信網から移動端末機へ払い出される移動通信網側アドレスと、この移動通信網側アドレスに対応付けて当該ゲートウェイ装置が管理し、且つ移動端末機のアドレスとしてＬＡＮが認識するＬＡＮ側アドレスと、移動端末機と移動通信網との通信状態情報とを関連付けてテーブルに記憶する第３のステップと、互いに対応付けられた前記移動通信網側アドレスと前記ＬＡＮ側アドレスとの間でアドレス変換を行う第４のステップと、前記ＬＡＮから移動端末機への情報送信要求を受信した場合、前記テーブルを参照して情報送信要求先のアドレスから一意に決まる移動端末機とＬＡＮ間の通信状態を確認し、この確認結果、通信中の際はＬＡＮ側アドレスである情報送信要求先のアドレスを移動通信網側アドレスに変換して情報を該当移動端末機へ送信し、切断中の際は情報送信要求先のアドレスから一意に決まる移動端末機の電話番号に対して着信処理を行う第５のステップと、前記着信処理実行後に該当移動端末機に新たに割り当てられた移動通信網側アドレスと当該移動端末機の電話番号が通知された場合、この通知された電話番号から一意に決まる移動通信網側アドレスを、前記テーブルに記憶されたアドレスの対応関係から新たに通知されたＬＡＮ側アドレスに変更する第６のステップとを実行することを特徴としている。
【００１１】
この方法によれば、移動端末機と移動通信網間の通信経路が切断され、移動通信網側アドレスと電話番号との関係がクリアされた後であっても、再接続によって移動端末機とゲートウェイ装置間の通信経路を確立することができるので、移動端末機へのＩＰアドレス割り当てを動的に行う場合であっても、移動端末機と移動通信網間の通信経路切断後に、再度その移動端末機と移動通信網とを接続することによって、ＬＡＮ側から見て常時接続的なＩＰ通信を行うことが可能となる。
【発明の効果】
【００１２】
以上説明したように本発明によれば、移動端末機へＩＰアドレスを動的に割当てるＬＡＮ接続システムにあって、移動端末機及びＬＡＮ間の通信リンクが切断された後でも、ＬＡＮから移動端末機へのＩＰパケット発信によるＩＰ通信を行うことができるという効果がある。
【発明を実施するための最良の形態】
【００１３】
以下、本発明の実施の形態を、図面を参照して説明する。
図１は、本発明の実施の形態に係るパケット交換ゲートウェイ装置を用いたモバイルパケットＬＡＮ接続システムの構成を示すブロック図である。
図１に示すモバイルパケットＬＡＮ接続システム１００において、移動パケット通信網１−８内の移動通信網１−１は、例えばＣＤＭＡ(Code Division Multiple Access)方式により移動端末機（以降、ＭＳと称す）１−１１と基地局（以降、ＢＴＳと称す）１−１４又は１−１５と間の無線接続を行う移動通信網である。また、移動機通信網１−２は、例えばＴＤＭＡ(TimeDivision Multiple Access)方式によりＭＳ１−１２とＢＴＳ１−１６又は１−１７との間の無線接続を行う移動通信網である。
【００１４】
図１には移動通信網１−１及び１−２のＢＴＳ１−１４〜１−１７を介して他通信装置との通信を行うＭＳ１−１１，１−１２を例示した。これらのＭＳ１−１１，１−１２には図示せぬアダプタ（以降、ＡＤＰと称す）によりデータ端末機（以降、ＤＴＥと称す）１−２１，１−２２が各々接続されている。各ＤＴＥ１−２１，１−２２は各々に接続されたＡＤＰ及びＭＳ１−１１，１−１２を介して、他のＤＴＥ（図示せず）との間でデータ通信を行うことができる。
【００１５】
移動パケット通信用ゲートウェイ１−３は、移動通信網１−１と他網との接続を行い、また、移動パケット通信用ゲートウェイ１−４は、移動通信網１−２と他網との接続を行うための手段である。
ユーザＬＡＮ１−５は、移動通信網１−１，１−２の移動パケット通信用ゲートウェイ１−３，１−４にパケット交換ゲートウェイ１−６を介して接続されており、本実施の形態に係るモバイルパケットＬＡＮ接続システム１００によるモバイルパケットＬＡＮ接続サービスを受けるユーザのＬＡＮである。
【００１６】
パケット交換ゲートウェイ１−６は、移動パケット通信網１−８（以降、ＭＰＮと称す）を介してＤＴＥ１−２１，１−２２からユーザＬＡＮ１−５への接続要求を受信し、通信回線を介してそのユーザＬＡＮとの回線接続を行い、この回線を利用してＤＴＥ１−２１，１−２２及びユーザＬＡＮ１−５間のＩＰパケットのルーティングを行う手段である。
但し、ここで受信される接続要求は、情報として受信されるので正しくは接続要求情報であるが、本明細書においては、この種の要求情報を単に要求としても表現する。
【００１７】
本実施の形態では、パケット交換ゲートウェイ１−６及びユーザＬＡＮ１−５間の通信回線（以降、ＷＡＮと称す）として、ＩＳＤＮ(Integrated Service Digital Network)１−７及び図示せぬ専用線を使用することが可能である。図１に示す例では、パケット交換ゲートウェイ１−６は、ＭＰＮ１−８及びＩＳＤＮＩ−７を介してユーザＬＡＮ１−５と回線接続を行うことができる。
【００１８】
次に、パケット交換ゲートウェイ１−６の構成を、図２を参照して説明する。図２はパケット交換ゲートウェイの構成を示すブロック図である。
図２に示すように、パケット交換ゲートウェイ１−６は、ＭＰＮＩ／Ｆ部２−１と、ＷＡＮＩ／Ｆ部２−２と、ＮＡＴテーブル２−４を有するシステム制御部２−３と、ＩＰアドレス管理テーブル２−６を有するデータ管理部２−５とを備えて構成されている。
【００１９】
ＭＰＮＩ／Ｆ部２−１は、ＭＰＮ１−８とパケット交換ゲートウェイ１−６間の通信インタフェースとして機能する。具体的には、ＭＰＮ１−８からのＩＰパケットをシステム制御部２−３へ転送し、システム制御部２−３からのＩＰパケットをＭＰＮ１−８へ転送する。
ＷＡＮＩ／Ｆ部２−２は、パケット交換ゲートウェイ１−６とＷＡＮ間のインタフェースとして機能する。具体的には、システム制御部２−３からのＩＰパケットをＷＡＮへ転送し、ＷＡＮからのＩＰパケットをシステム制御部２−３へ転送する。
【００２０】
システム制御部２−３は、パケット交換ゲートウェイ１−６の各部を制御する。また、システム制御部２−３は、ＩＰアドレス体系の異なる２つの網｛ＭＰＮ１−８及びＷＡＮ網（ＬＡＮ側）｝の間のＩＰパケット通信を可能とするため、相互のＩＰアドレスの変換処理を行う。具体的には、移動パケット通信用ゲートウェイ１−３及び１−４で払い出された後、ＭＰＮＩ／Ｆ部２−１を介して受信されたＤＴＥ１−２１，１−２２のＩＰアドレス（以降、ＭＰＮ側ＩＰアドレスと称す）に対応するＷＡＮ側のＩＰアドレス体系のＩＰアドレス（以降、ＷＡＮ側ＩＰアドレスと称す）の払出を、データ管理部２−５に依頼する。
【００２１】
また、システム制御部２−３は、ＭＰＮ側ＩＰアドレスとＷＡＮ側ＩＰアドレスの変換を行う。具体的には、ＤＴＥ１−２１，１−２２からユーザＬＡＮ１−５へＩＰパケットを送信する場合、送信元ＩＰアドレスをＭＰＮ側ＩＰアドレスから、これに対応したＷＡＮ側ＩＰアドレスに変換する。このため内部に、相互に変換対象となるＩＰアドレスを記録するＮＡＴテーブル２−４を保持する。ユーザＬＡＮ１−５からＤＴＥ１−２１，１−２２へのＩＰパケットの場合、送信先ＩＰアドレスをＷＡＮ側ＩＰアドレスからＭＰＮ側ＩＰアドレスに変換する。
【００２２】
更に、システム制御部２−３は、ＩＰアドレス管理テーブル２−６に情報が残っており、かつ通信状態が未接続であるＤＴＥ１−２１，１−２２に対するＩＰパケットを送信するため、ＤＴＥ１−２１，１−２２のＩＰアドレスに対応したＭＳＮ（ＭＳの電話番号）に対して着信処理を行う。
データ管理部２−５は、内部に図３に示すようなＩＰアドレス管理テーブル２−６を保持しており、ＭＳＮと、このＭＳＮのＭＳに払い出されたＭＰＮ側ＩＰアドレスと、これに対応したＷＡＮ側ＩＰアドレスと、通信状態との対応関係を記憶並びに管理している。また、ＷＡＮ側ＩＰアドレスを管理しており、システム制御部２−３の要求に応じて払出処理並びに払い出したＩＰアドレスの管理を行う。
また、データ管理部２−５は、上記の記憶情報に基づき、ＭＳＮと、ＭＰＮ側及びＷＡＮ側ＩＰアドレスの相互変換、通信状態の照合等を行う。
【００２３】
次に、このような構成のパケット交換ゲートウェイ１−６を有するモバイルパケットＬＡＮ接続システム１００におけるモバイルパケットＬＡＮ接続処理の動作を、図４及び図５に示すシーケンス図を参照して説明する。最初に、接続時の動作について説明し、次いで切断時の再接続の動作について説明する。
【００２４】
（接続時の動作）
図４は、ＤＴＥ１−２１からユーザＬＡＮ１−５へ接続する処理を説明するためのシーケンス図である。
図４に示すステップＳ１において、ＭＳ１−１１に接続されたＤＴＥ１−２１は、ユーザＬＡＮ１−５へ接続する際に、ＭＳＮを含む接続要求情報を送信する。この接続要求情報は、ステップＳ２において、移動パケット通信用ゲートウェイ１−３を介してパケット交換ゲートウェイ１−６に、ＲＡＤＩＵＳ(Remote Authentication Dial-In User Service：ダイアルインユーザを対象とした遠隔認証サービス)プロトコルを用いて通知される。そして、ステップＳ２において、パケット交換ゲートウェイ１−６が行う認証において、ＤＴＥ１−２１が正当である旨の判定がなされると、ステップＳ３において、移動パケット通信用ゲートウェイ１−３からＤＴＥ１−２１に対してＭＰＮ側ＩＰアドレスが払い出される。なお、ＭＰＮ側ＩＰアドレスはＭＰＮ側のＩＰアドレス体系である。
【００２５】
このＤＴＥ１−２１のＩＰアドレスが払い出されると、ステップＳ４において、移動パケット通信用ゲートウェイ１−３は、その払い出されたＭＰＮ側ＩＰアドレス（払出ＩＰアドレス）と、これに対応するＭＳＮの情報をパケット交換ゲートウェイ１−６に通知する。
この通知されたＭＳＮ情報を含む払出ＩＰアドレスは、ステップＳ５において、ＭＰＮＩ／Ｆ部２−１からシステム制御部２−３へ転送される。
【００２６】
この転送されたＭＰＮ側ＩＰアドレスを受信したシステム制御部２−３は、ステップＳ６において、ＭＰＮ側ＩＰアドレスに対応するＷＡＮ側ＩＰアドレスを取得するために、データ管理部２−５にＷＡＮ側ＩＰアドレスの払出を要求する。また、この要求にてＭＳＮと、これに対応するＭＰＮ側ＩＰアドレスがデータ管理部２−５に通知される。
データ管理部２−５は、ステップＳ７において、システム制御部２−３からの要求によりＷＡＮ側ＩＰアドレスを払い出す。この際、ステップＳ８において、ＩＰアドレス管理テーブル２−６にアクセスし、当該テーブル２−６に、払い出したＷＡＮ側ＩＰアドレスと、上記ステップＳ６にて取得したＭＳＮ、これに対応するＭＰＮ側ＩＰアドレスを書込み、これらの値を関連付ける。また、データ管理部２−５は、ステップＳ９において、払い出したＷＡＮ側ＩＰアドレスをシステム制御部２−３に通知する。
【００２７】
システム制御部２−３は、ＮＡＴ(NetworkAddress Translation)を実施するため、ステップＳ１０において、内部のＮＡＴテーブル２−４にアクセスし、当該テーブル２−４に、上記ステップＳ５にて取得したＭＰＮ側ＩＰアドレスと、上記ステップＳ９にて取得したＷＡＮ側ＩＰアドレスを書込み、相互のＩＰアドレスへのＮＡＴを可能とする。これによって、ステップＳ１０ａにおいて、ＤＴＥ１−２１及びユーザＬＡＮ１−５間での通信が可能となる。
【００２８】
（切断時の再接続動作）
図５は、ＤＴＥ１−２１及びユーザＬＡＮ１−５間の通信が切断された後に、ユーザＬＡＮ１−５からＤＴＥ１−２１宛にＩＰパケットで発信する処理を説明するためのシーケンス図である。
例えば、ＭＰＮ１−８から動的にＩＰアドレスが払い出された先のＤＴＥ１−２１との回線が切断された場合、パケット交換ゲートウェイ１−６は、ＩＰアドレス管理テーブル２−６の該当ＤＴＥ１−２１の情報部分にテーブル保持タイマを設定する。これによって該当ＤＴＥ１−２１のＭＳＮ、ＭＰＮ側ＩＰアドレス、対応するＷＡＮ側ＩＰアドレスの情報が一定時間保持されるようになっている。
【００２９】
図５のステップＳ１１に示すように、パケット交換ゲートウェイ１−６内のＷＡＮＩ／Ｆ部２−２が、ユーザＬＡＮ１−５からこれまで接続されていたＤＴＥ１−２１宛のＩＰパケットを受信すると、ステップＳ１２において、そのパケットの情報をシステム制御部２−３へ転送する。なお、この際のＤＴＥ１−２１宛のＩＰパケットに設定されているＩＰアドレスは、ＷＡＮ側ＩＰアドレスである。
【００３０】
システム制御部２−３は、ＤＴＥ１−２１への接続可否を確認するため、転送されてきたＩＰパケットからＤＴＥのアドレスを取得し、これをステップＳ１３において、データ管理部２−５へ通知して、該当ＤＴＥ１−２１の通信状態を照会する。
データ管理部２−５は、ステップＳ１４において、ＩＰアドレス管理テーブル２−６にアクセスし、上記ステップＳ１３にてシステム制御部２−２から取得したＷＡＮ側ＩＰアドレスから該当するＤＴＥ１−２１を特定し、その通信状態を確認する。この結果、該当ＤＴＥ１−２１の通信状態が未接続の場合、データ管理部２−５は、ステップＳ１５において、該当ＤＴＥ１−２１の通信情報と共に該当ＤＴＥ１−２１のＭＳＮの情報をシステム制御部２−３に通知する。
【００３１】
システム制御部２−３は、該当ＤＴＥ１−２１の通信状態が未接続である場合、ステップＳ１６において、上記ステップＳ１５の通信状態通知から該当ＤＴＥ１−２１のＭＳＮを取得する。そして、システム制御部２−３は、ステップＳ１７において、ＤＴＥ１−２１とパケット交換ゲートウェイ１−６との間でＩＰパケット通信を可能にするため、該当ＤＴＥ１−２１への着信通知送信要求をＭＰＳＩ／Ｆ部２−１へ出力する。
【００３２】
ＭＰＳＩ／Ｆ部２−１は、その着信通知送信要求を受信すると、ステップＳ１８において、該当ＭＳＮのＤＴＥ１−２１に対して着信通知を送信する。
この着信通知を該当ＤＴＥ１−２１が受信すると、ＤＴＥ１−２１は、ステップＳ１９〜Ｓ２２において、上記図４のステップＳ１〜Ｓ４と同様のシーケンスを実行することによって、該当ＤＴＥ１−２１の新しいＭＰＮ側ＩＰアドレスを払い出す。また、パケット交換ゲートウェイ１−６内のシステム制御部２−３に、該当ＤＴＥ１−２１のＭＳＮと、これに対応する新しいＭＰＮ側ＩＰアドレスを通知する。
【００３３】
システム制御部２−３は、ステップＳ２３において、ＤＴＥ１−２１宛のＩＰパケット送信待ち状態にあって、ＭＰＮＩ／Ｆ部２−１から該当ＤＴＥ１−２１のＩＰアドレス（ＭＰＮ側）通知を受信すると、ステップＳ２４において、データ管理部２−５にＩＰアドレス管理テーブル２−６の情報更新を要求する。
データ管理部２−５は、テーブル情報更新要求を受信すると、ステップＳ２５において、ＩＰアドレス管理テーブル２−６にアクセスし、その更新要求情報に含まれるＭＳＮより該当ＤＴＥ１−２１を特定し、テーブル２−６のＭＰＮ側ＩＰアドレスの情報を更新する。これによって、新たに払い出されたＭＰＮ側ＩＰアドレスとＷＡＮ側ＩＰアドレスが対応付けられる。
このテーブル更新後、データ管理部２−５は、ステップＳ２６において、テーブル更新応答の情報をシステム制御部２−３に送信する。
【００３４】
システム制御部２−３は、テーブル更新応答を受信すると、ステップＳ２７において、ＮＡＴテーブル２−４にアクセスし、当該応答情報に含まれるＷＡＮ側ＩＰアドレスに対応するＭＰＮ側ＩＰアドレスを、上記ステップＳ２３にて取得したＩＰアドレスに書き換える。これによって、ユーザＬＡＮ１−５側でＤＴＥ１−２１のアドレスとして認識しているＷＡＮ側ＩＰアドレスと、再接続により新たに払い出されたＭＰＮ側ＩＰアドレスとが対応付けられ、ＤＴＥ１−２１及びユーザＬＡＮ１−５間のＩＰパケット通信が可能な状態となる。
【００３５】
システム制御部２−３は、ＮＡＴテーブル２−４の更新後、ステップＳ２８において、送信待ち状態であったＤＴＥ宛ＩＰパケットの送信先ＩＰアドレスを、ＷＡＮ側ＩＰアドレスから対応するＭＰＮ側ＩＰアドレスへ変換し、この変換されたＤＴＥ宛ＩＰパケットを、ステップＳ２９において、ＭＰＮＩ／Ｆ部２−１へ出力する。
ＭＰＮＩ／Ｆ部２−１は、そのＤＴＥ宛ＩＰパケットを受信すると、ステップＳ３０において、ＭＰＮ１−８を介してＤＴＥ１−２１に転送する。これによって通信切断後、動的にＩＰアドレスが払い出されたＤＴＥ１−２１に対して、ユーザＬＡＮ１−５からＩＰパケットでの発信が実現される。
【００３６】
以上説明したように本実施の形態によれば、パケット交換ゲートウェイ１−６によって、ＤＴＥ１−２１，１−２２が接続されたＭＳ１−１１，１−１２の電話番号であるＭＳＮと、移動通信網１−１，１−２からＤＴＥ１−２１，１−２２へ払い出される移動通信網側アドレスと、この移動通信網側アドレスに対応付けて当該パケット交換ゲートウェイ１−６が管理し、且つＤＴＥ１−２１，１−２２のアドレスとしてユーザＬＡＮ１−５が認識するＬＡＮ側アドレスと、ＤＴＥ１−２１，１−２２と移動通信網１−１，１−２との通信状態情報とを関連付けてＩＰアドレス管理テーブル２−６に記憶する。
【００３７】
そして、パケット交換ゲートウェイ１−６のシステム制御部２−３によって、ＩＰアドレス管理テーブル２−６の通信状態情報がＤＴＥ１−２１，１−２２と移動通信網１−１，１−２間の通信経路の切断を示す場合に、ユーザＬＡＮ１−５からＤＴＥ１−２１，１−２２に対応するＬＡＮ側アドレス宛ての固有のＩＰパケットを受信すると、ＩＰアドレス管理テーブル２−６に記憶されているＬＡＮ側アドレスに対応するＭＳＮを宛先として移動通信網１−１，１−２に再接続を要求し、この要求によって移動通信網１−１，１−２から該当ＤＴＥ１−２１，１−２２に新規に払い出される移動通信網側アドレスをＬＡＮ側アドレスと対にして記憶するようにした。
【００３８】
これによって、ＤＴＥ１−２１，１−２２と移動通信網１−１，１−２間の通信経路が切断され、移動通信網側アドレスとＭＳＮとの関係がクリアされた後であっても、パケット交換ゲートウェイ１−６が、ユーザＬＡＮ１−５からＤＴＥ１−２１，１−２２に対応するＬＡＮ側アドレス宛てのＩＰパケットを受信すると、このＩＰパケット送信先のＬＡＮ側アドレスに対応するＭＳＮを宛先として移動通信網１−１，１−２に再接続が要求され、この要求時に、移動通信網１−１，１−２からＤＴＥ１−２１，１−２２に新規に払い出される移動通信網側アドレスがＬＡＮ側アドレスと対で記憶される。これによって、それらアドレスの相互変換が可能となるので、ＤＴＥ１−２１，１−２２とパケット交換ゲートウェイ１−６間の通信経路を確立することができる。
【００３９】
このため、ＤＴＥ１−２１，１−２２へのＩＰアドレス割り当てを動的に行う場合にあって、ＤＴＥ１−２１，１−２２と移動通信網１−１，１−２間の通信経路が切断された後でも、ユーザＬＡＮ１−５側からＤＴＥ１−２１，１−２２へのＩＰパケット発信によるＩＰ通信を行うことができる。
【図面の簡単な説明】
【００４０】
【図１】本発明の実施の形態に係るパケット交換ゲートウェイ装置を用いたモバイルパケットＬＡＮ接続システムの構成を示すブロック図である。
【図２】上記実施の形態に係るパケット交換ゲートウェイ装置の構成を示すブロック図である。
【図３】上記実施の形態に係るパケット交換ゲートウェイ装置のＩＰアドレス管理テーブルに格納されるデータ構成例を示す図である。
【図４】上記実施の形態に係るパケット交換ゲートウェイ装置を有するモバイルパケットＬＡＮ接続システムにおいて、ＤＴＥからユーザＬＡＮへ接続する際の処理を説明するためのシーケンス図である。
【図５】上記実施の形態に係るパケット交換ゲートウェイ装置を有するモバイルパケットＬＡＮ接続システムにおいて、ＤＴＥ及びユーザＬＡＮ間の通信切断後にユーザＬＡＮからＤＴＥへのＩＰパケットによる発信処理を説明するためのシーケンス図である。
【符号の説明】
【００４１】
１−１，１−２  移動通信網
１−３，１−４  移動パケット通信用ゲートウェイ
１−５  ユーザＬＡＮ
１−６  パケット交換ゲートウェイ
１−７  ＩＳＤＮ
１−８  ＭＰＮ（移動パケット通信網）
１−１１，１−１２  ＭＳ（移動端末機）
１−１４，１−１５，１−１６，１−１７  ＢＴＳ（基地局）
１−２１，１−２２  ＤＴＥ（データ端末機）
２−１  ＭＰＮＩ／Ｆ部
２−２  ＷＡＮＩ／Ｆ部
２−３  システム制御部
２−４  ＮＡＴテーブル
２−５  データ管理部
２−６  ＩＰアドレス管理テーブル
１００  モバイルパケットＬＡＮ接続システム
【図１】
2005244366.tif 000003
【図２】
2005244366.tif 000004
【図３】
2005244366.tif 000005
【図４】
2005244366.tif 000006
【図５】
2005244366.tif 000007